(57)【要約】【課題】小型軽量化および光学性能の更なる向上への要求に充分に応えることができ、さらに、製造性を向上させることができる撮像レンズを提供する。【解決手段】固体撮像素子の撮像面７に物体の像を結像させるために使用される撮像レンズ１であって、物体側から像面側に向かって順に、絞り２、物体側に凸面を向けた正のパワーを有するメニスカスレンズとされた第１レンズ３、および像面側に凸面を向けた正のパワーを有するメニスカスレンズとされた第２レンズ４を配設し、次の条件式、１．４５≦（ｒ３＋ｒ４）／（ｒ３−ｒ４）≦３．４（但し、ｒ３：第２レンズ４の物体側の面の中心曲率半径、ｒ４：第２レンズ４の像面側の面の中心曲率半径）を満足する。【選択図】図１
2008040413.tif 000002
【特許請求の範囲】
【請求項１】
固体撮像素子の撮像面に物体の像を結像させるために使用される撮像レンズであって、
物体側から像面側に向かって順に、絞り、物体側に凸面を向けた正のパワーを有するメニスカスレンズとされた第１レンズ、および像面側に凸面を向けた正のパワーを有するメニスカスレンズとされた第２レンズを配設し、次の条件式、
１．４５≦（ｒ３＋ｒ４）／（ｒ３−ｒ４）≦３．４      （１）
但し、
ｒ３：第２レンズの物体側の面の中心曲率半径
ｒ４：第２レンズの像面側の面の中心曲率半径
を満足することを特徴とする撮像レンズ。
【請求項２】
更に、次の条件式、
０．５≦ｄ２／ｄ１≦１      （２）
但し、
ｄ１ ：第１レンズの中心厚
ｄ２ ：光軸上における第１レンズと第２レンズとの間隔
を満足することを特徴とする請求項１に記載の撮像レンズ。
【請求項３】
更に、次の条件式、
０．１≦ｆ１／ｆ２≦０．４      （３）
但し、
ｆ１ ：第１レンズの焦点距離
ｆ２ ：第２レンズの焦点距離
を満足することを特徴とする請求項１または２に記載の撮像レンズ。
【請求項４】
更に、次の条件式、
１≦ｆ１／ｆｌ≦１．８      （４）
但し、
ｆ１：第１レンズの焦点距離
ｆｌ：レンズ系全体の焦点距離
を満足することを特徴とする請求項１〜３のいずれか１項に記載の撮像レンズ。
【請求項５】
更に、次の条件式、
１≦ｆ２／ｆｌ≦１０      （５）
但し、
ｆ２：第２レンズの焦点距離
ｆｌ：レンズ系全体の焦点距離
を満足することを特徴とする請求項１〜４のいずれか１項に記載の撮像レンズ。
【請求項６】
更に、次の条件式、
０．８≦Ｌ／ｆｌ≦１．２５      （６）
但し、
Ｌ：レンズ系の全長
ｆｌ：レンズ系全体の焦点距離
を満足することを特徴とする請求項１〜５のいずれか１項に記載の撮像レンズ。
【請求項７】
更に、次の（７）および（８）に示す各条件式、
０．１≦ｄ１／ｆｌ≦０．２７      （７）
０．１≦ｄ３／ｆｌ≦０．２７      （８）
但し、
ｄ１：第１レンズの中心厚
ｄ３：第２レンズの中心厚
ｆｌ：レンズ系全体の焦点距離
を満足することを特徴とする請求項１〜６のいずれか１項に記載の撮像レンズ。
【発明の詳細な説明】
【技術分野】
【０００１】
本発明は、撮像レンズに係り、特に、携帯型のコンピュータ、テレビ電話、携帯電話等に搭載されるＣＣＤ、ＣＭＯＳ等の固体撮像素子の撮像面に、風景や人物等の物体の像を結像させる撮像装置に用いられ、小型軽量化、光学性能の向上および製造性の向上を図ることを可能とした２枚レンズ構成の撮像レンズに関する。
【背景技術】
【０００２】
近年、例えば、携帯電話、携帯型のコンピュータやテレビ電話等に搭載するためのＣＣＤ、ＣＭＯＳ等の固体撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズも、同様に、小型軽量であることが要求されており、このような撮像レンズとして、従来は、１枚のレンズを用いた１枚構成のレンズ系が用いられていた。
【０００４】
しかし、このような１枚構成のレンズ系は、ＣＩＦと呼ばれる約１１万画素程度の解像度を持った固体撮像素子には十分に対応することができるものの、近年のＶＧＡと称される約３０万画素程度の高い解像度を有する固体撮像素子あるいは最近の１００万画素を超えるより高解像度の固体撮像素子の解像能力を十分に発揮させることはできない。
【０００５】
そのため、近年では、１枚構成のレンズ系に比較して光学性能に優れる２枚構成のレンズ系あるいは３枚構成のレンズ系が各種提案されている。
【０００６】
この場合に、３枚構成のレンズ系においては、光学性能の低下につながる各収差を有効に補正することができることから、極めて高い光学性能を得ることが可能となるが、３枚構成のレンズ系では、部品点数が多いことから、小型軽量化が困難であり、各構成部品に高い精度が要求されるため製造コストも高くなってしまうという問題を有している。
【０００７】
これに対して、２枚構成のレンズ系は、３枚構成のレンズ系ほどの光学性能を望むことはできないものの、１枚構成のレンズ系より高い光学性能を得ることができ、小型でかつ高解像度の固体撮像素子に好適なレンズ系であるといえる。
【０００８】
そして、このような２枚構成のレンズ系として、従来から、レトロフォーカス型と呼ばれる負レンズと正レンズを組み合わせたレンズ系が多数提案されている。しかし、このようなレトロフォーカス型のレンズ系では、部品点数を低減させることによる低コスト化は可能であるが、バックフォーカス距離が長くなるため１枚構成のレンズ系と同程度の小型軽量化はその構成からみて、実質的に不可能である。
【０００９】
また、他の２枚構成のレンズ系としては、テレフォト型と呼ばれる正レンズと負レンズを組み合わせたレンズ系がある。しかし、このようなテレフォト型のレンズ系は、本来銀塩写真用に開発されたものであり、バックフォーカス距離が短すぎ、また、テレセントリック性の問題もあり、固体撮像素子用の撮像レンズとしてそのまま適用することは困難である。
【００１０】
さらに、従来は、２枚構成あるいは３枚構成のレンズ系においては、光軸方向に互いに隣接する２枚のレンズの間に絞りを配置した構成が主流とされていた（例えば、特許文献１および２参照）。
【００１１】
【特許文献１】特開２００４−１６３８５０号公報
【特許文献２】特開２００４−１７０４６０号公報
【発明の開示】
【発明が解決しようとする課題】
【００１２】
しかしながら、近年、この種の撮像レンズには、小型軽量化に加えて光学性能の更なる向上への要求が益々高まりつつあるところ、特許文献１および２に記載の撮像レンズのように、２枚のレンズの間に絞りを配置する構成では、小型軽量化と更なる光学性能の向上とを両立させることが困難で、しかも、センサの特性（センサへの入射角度）に合わせることが困難であるといった問題点を有している。
【００１３】
そこで、本発明はこのような問題に鑑みなされたもので、小型軽量化および光学性能の更なる向上への要求に充分に応えることができ、さらに、製造性を向上させることができる撮像レンズを提供することを目的とするものである。
【００１４】
なお、本明細書において、製造性とは、撮像レンズを大量生産する場合の製造性（例えば、射出成形により、撮像レンズを大量生産する場合の成形性やコスト等）である意の他、撮像レンズを製造するために使用される設備の加工、製作等の容易性（例えば、射出成形に用いる金型の加工の容易性等）である意も含む。
【課題を解決するための手段】
【００１５】
前述した目的を達成するため、本発明の請求項１に係る撮像レンズの特徴は、固体撮像素子の撮像面に物体の像を結像させるために使用される撮像レンズであって、物体側から像面側に向かって順に、絞り、物体側に凸面を向けた正のパワーを有するメニスカスレンズとされた第１レンズ、および像面側に凸面を向けた正のパワーを有するメニスカスレンズとされた第２レンズを配設し、次の条件式、
１．４５≦（ｒ３＋ｒ４）／（ｒ３−ｒ４）≦３．４      （１）
但し、
ｒ３：第２レンズの物体側の面の中心曲率半径
ｒ４：第２レンズの像面側の面の中心曲率半径
を満足する点にある。
【００１６】
そして、この請求項１に係る発明によれば、絞りを最も物体側に配置することによって、小型軽量化を図りつつ高いテレセントリック性を確保することが可能となり、固体撮像素子のセンサに対する光線の入射角度を緩和すること可能となる。
【００１７】
また、請求項１に係る発明によれば、第１レンズを物体側に凸面を向けた正のパワーを有するメニスカスレンズとし、かつ、第２レンズを像面側に凸面を向けた正のパワーを有するメニスカスレンズとすることによって、軸外収差を良好に補正することが可能となるとともに、さらに有効にテレセントリック性を確保することが可能となる。
【００１８】
さらに、請求項１に係る発明によれば、（１）の条件式を満足するようにすることによって、射出瞳位置の適正化とディストーションの補正とをバランスさせることが可能となる。
【００１９】
なお、本発明において、絞りを最も物体側に配置することは、第１レンズの物体側の面（凸面）の光軸近傍部が絞りを通して絞りよりも物体側に位置することを妨げない。その場合であっても、物理的な配置としては絞りが第１レンズ全体よりも物体側に配置されるといえるので、特許請求の範囲の記載から逸脱するものとはならない。
【００２０】
また、請求項２に係る撮像レンズの特徴は、請求項１において、更に、次の条件式、
０．５≦ｄ２／ｄ１≦１      （２）
但し、
ｄ１：第１レンズの中心厚
ｄ２：光軸上における第１レンズと第２レンズとの間隔
を満足する点にある。
【００２１】
そして、この請求項２に係る発明によれば、更に、（２）の条件式を満足するようにすることによって、製造性をさらに向上させることが可能となり、かつ、必要なバックフォーカス距離をさらに適切に確保することが可能となり、さらに、光学性能をさらに良好に維持することが可能となる。
【００２２】
さらに、請求項３に係る撮像レンズの特徴は、請求項１または２において、更に、次の条件式、
０．１≦ｆ１／ｆ２≦０．４      （３）
但し、
ｆ１：第１レンズの焦点距離
ｆ２：第２レンズの焦点距離
を満足する点にある。
【００２３】
そして、この請求項３に係る発明によれば、更に、（３）の条件式を満足するようにすることによって、製造性をさらに向上させることが可能となり、かつ、必要なバックフォーカス距離をさらに有効に確保しながら光学系全体をさらに小型化軽量化することが可能となる。
【００２４】
さらにまた、請求項４に係る撮像レンズの特徴は、請求項１〜３のいずれか１項において、更に、次の条件式、
１≦ｆ１／ｆｌ≦１．８      （４）
但し、
ｆ１：第１レンズの焦点距離
ｆｌ：レンズ系全体の焦点距離
を満足する点にある。
【００２５】
そして、この請求項４に係る発明によれば、更に、（４）の条件式を満足するようにすることによって、さらなる小型軽量化および製造性の向上が可能となる。
【００２６】
また、請求項５に係る撮像レンズの特徴は、請求項１〜４のいずれか１項において、更に、次の条件式、
１≦ｆ２／ｆｌ≦１０      （５）
但し、
ｆ２：第２レンズの焦点距離
ｆｌ：レンズ系全体の焦点距離
を満足する点にある。
【００２７】
そして、この請求項５に係る発明によれば、更に、（５）の条件式を満足するようにすることによって、必要なバックフォーカス距離をさらに適切に確保しつつ、さらに製造性を向上させることが可能となる。
【００２８】
さらに、請求項６に係る撮像レンズの特徴は、請求項１〜５のいずれか１項において、更に、次の条件式、
０．８≦Ｌ／ｆｌ≦１．２５      （６）
但し、
Ｌ：レンズ系の全長
ｆｌ：レンズ系全体の焦点距離
を満足する点にある。
【００２９】
そして、この請求項６に係る発明によれば、更に、（６）の条件式を満足するようにすることによって、必要なバックフォーカス距離をさらに有効に確保しつつ光学系全体をさらに充分に小型軽量化することが可能となり、かつ、より良好な光学性能を維持することが可能となり、さらに、製造性をより向上させることが可能となる。
【００３０】
さらにまた、請求項７に係る撮像レンズの特徴は、請求項１〜６のいずれか１項において、更に、次の（７）および（８）に示す各条件式、
０．１≦ｄ１／ｆｌ≦０．２７      （７）
０．１≦ｄ３／ｆｌ≦０．２７      （８）
但し、
ｄ１：第１レンズの中心厚
ｄ３：第２レンズの中心厚
ｆｌ：レンズ系全体の焦点距離
を満足する点にある。
【００３１】
そして、この請求項７に係る発明によれば、更に、（７）および（８）の各条件式を満足するようにすることによって、光学系全体をさらに小型軽量化することが可能となり、かつ、製造性をさらに向上させることが可能となる。
【発明の効果】
【００３２】
本発明に係る撮像レンズによれば、小型軽量化および光学性能の更なる向上への要求に充分に応えることができ、さらに、製造性を向上させることができる。
【発明を実施するための最良の形態】
【００３３】
以下、本発明に係る撮像レンズの実施形態について、図１を参照して説明する。
【００３４】
本実施形態における撮像レンズ１は、図１に示すように、物体側から像面側に向かって順に、絞り２と、物体側に凸面を向けた正のパワーを有するメニスカスレンズとされた樹脂製の第１レンズ３と、像面側に凸面を向けた正のパワーを有するメニスカスレンズとされた樹脂製の第２レンズ４とを有している。
【００３５】
以下、第１レンズ３および第２レンズ４における物体側および像面側の各レンズ面を、それぞれ第１面、第２面と称することとする。
【００３６】
また、第２レンズ４の第２面側には、カバーガラス、ＩＲカットフィルタ、ローパスフィルタ等の各種フィルタ６およびＣＣＤあるいはＣＭＯＳ等の撮像素子の受光面である撮像面７がそれぞれ配設されている。なお、各種フィルタ６は、必要に応じて省略することも可能である。
【００３７】
ここで、絞り２の位置が像面側に近づくほど、射出瞳位置も像面側に近づくことになる。これにより、テレセントリック性を確保することが困難となり、撮像レンズ１から出射された軸外光線が、固体撮像素子のセンサに対して斜めに入射することになる。
【００３８】
これに対し、本実施形態においては、絞り２を最も物体側に配置することによって、射出瞳位置を固体撮像素子のセンサ面（撮像面７）から遠い位置にとることができる。
【００３９】
これにより、本実施形態においては、小型軽量化を図りつつ高いテレセントリック性を確保することが可能となり、固体撮像素子のセンサに対する光線の入射角度を緩和することができる。
【００４０】
また、本実施形態においては、第１レンズ３の物体側に絞り２を配置し、かつ、第１レンズ３を物体側に凸面を向けたメニスカス形状にすることにより、第１レンズ３の第２面を効果的に利用することが可能となる。
【００４１】
つまり、軸外の光線を、第１レンズ３の第２面の法線に対して光軸８から離れる方向に急峻な角度とすることにより、第１レンズ３の第２面の屈折力（補正効果）を増大させることができる。
【００４２】
これにより、軸外に発生する各収差（特に、駒収差および色収差）を効果的に補正することが可能となる。
【００４３】
これに対し、仮に、第１レンズ３の第２面の形状が、像面側に向かって凸であったり、または、絞り２が第１レンズ３よりも像面側に配置されている場合には、第１レンズ３の第２面の屈折力を増大させることができず、前述した軸外に発生する各収差を補正する効果は非常に限定されてしまう。
【００４４】
また、このような軸外に発生する各収差の補正効果を増大させる観点から、第１レンズ３の第２面を非球面とすることは更に有効である。さらに、この場合には、第１レンズ３の第２面を、光軸８から離れるにしたがって曲率が大きくなる非球面とすることが望ましい。そのようにすれば、軸外の光線を、第１レンズ３の第２面の法線に対して光軸８から離れる方向にさらに急峻な角度とすることができ、前述した軸外に発生する各収差の補正効果をより効果的に増大させることができる。
【００４５】
さらに、本実施形態においては、第２レンズ４の第２面の形状が、像面側に向かって凸とされていることによって、より高いテレセントリック性を確保することができ、固体撮像素子のセンサに対する光線の入射角度をさらに有効に制御することができる。さらに、第２レンズ４の第２面の形状は、光軸８から離れるにしたがって曲率が大きくなる非球面とすることが好ましい。そのようにすれば、さらに高いテレセントリック性を確保することができ、固体撮像素子のセンサに対する光線の入射角度をより有効に制御することができる。
【００４６】
さらにまた、本実施形態においては、第２レンズ４がメニスカスレンズに形成されていることによって、第１レンズ３および第２レンズ４の形状に負担をかけることなく周辺部の光学性能を向上させることができるとともに、固体撮像素子の周辺部に入射する光線をさらに有効に利用することができる。
【００４７】
さらに、本実施形態においては、撮像レンズ１が、次の（１）に示す条件式を満足するようにする。
【００４８】
１．４５≦（ｒ３＋ｒ４）／（ｒ３−ｒ４）≦３．４      （１）
但し、（１）式におけるｒ３は、第２レンズ４の第１面の中心曲率半径である。また、（１）式におけるｒ４は、第２レンズ４の第２面の中心曲率半径である（以下、同様）。
【００４９】
ここで、（ｒ３＋ｒ４）／（ｒ３−ｒ４）の値が、（１）式の範囲（１．４５≦（ｒ３＋ｒ４）／（ｒ３−ｒ４）≦３．４）を外れる場合には、射出瞳位置が像面に近付き過ぎるか、または、ディストーションの補正が困難となる。
【００５０】
したがって、本実施形態においては、（ｒ３＋ｒ４）／（ｒ３−ｒ４）の値を（１）の条件式を満足するようにすることによって、射出瞳位置の適正化とディストーションの補正とをバランスさせることが可能となる。
【００５１】
なお、（ｒ３＋ｒ４）／（ｒ３−ｒ４）の値は、  １．６７≦（ｒ３＋ｒ４）／（ｒ３−ｒ４）≦３．４とされることが、より好ましい。
【００５２】
また、本実施形態においては、更に、次の（２）に示す条件式を満足するようにする。
【００５３】
０．５≦ｄ２／ｄ１≦１      （２）
但し、（２）式におけるｄ１は、第１レンズ３の中心厚である（以下、同様）。また、（２）式におけるｄ２は、光軸８上における第１レンズ３と第２レンズ４との間隔である。
【００５４】
ここで、ｄ２／ｄ１の値が、(２）式に示す値（１）よりも大きくなると、第１レンズ３および第２レンズ４のパワーを大きくしなければならず、各レンズ３、４の製造が困難になる。また、第２レンズ４の像面側の面を通過する光線高さが高くなるため、非球面のパワーが増大し、さらに製造が困難になる。一方、ｄ２ ／ｄ１ の値が、（２）式に示す値（０．５）よりも小さくなると、相対的に第１レンズ３の中心厚が厚くなることによって、バックフォーカス距離の確保が困難になり、さらに、光量を効果的に制限する絞りの挿入が困難になる。
【００５５】
従って、本実施形態によれば、更に、ｄ２／ｄ１の値を（２）の条件式を満足するようにすることによって、製造性をさらに向上させることが可能となり、かつ、必要なバックフォーカス距離をさらに適切に確保することが可能となり、さらに、光学性能をさらに良好に維持することが可能となる。
【００５６】
なお、ｄ２とｄ１との関係は、０．６≦ｄ２／ｄ１≦１とされることが、より好ましい。
【００５７】
さらに、本実施形態においては、更に、次の（３）に示す条件式を満足するようにする。
【００５８】
０．１≦ｆ１／ｆ２≦０．４      （３）
但し、（３）式におけるｆ１は、第１レンズ３の焦点距離である（以下、同様）。また、（３）式におけるｆ２は、第２レンズ４の焦点距離である。
【００５９】
ここで、ｆ１／ｆ２の値が（３）式に示す値（０．４）を超えて大きくなると、第２レンズ４のパワーが強くなり過ぎることによって製造性が低下し、さらに、バックフォーカス距離が長くなり過ぎて小型軽量化が困難になる。一方、ｆ１／ｆ２の値が（３）式に示す値（０．１）よりも小さくなると、第１レンズ３の製造性が低下し、さらに、必要なバックフォーカス距離を確保することが困難になる。
【００６０】
従って、本実施形態によれば、更に、ｆ１／ｆ２の値を（３）の条件式を満足するようにすることによって、製造性をさらに向上させることが可能となり、かつ、必要なバックフォーカス距離をさらに有効に確保しながら光学系全体をさらに小型化軽量化することが可能となる。
【００６１】
なお、ｆ１とｆ２との関係は、０．１３≦ｆ１／ｆ２≦０．３３とされることが、より好ましい。
【００６２】
さらにまた、本実施形態においては、更に、次の（４）に示す条件式を満足するようにする。
【００６３】
１≦ｆ１／ｆｌ≦１．８      （４）
但し、（４）式におけるｆｌは、レンズ系全体の焦点距離である（以下、同様）。
【００６４】
ここで、ｆ１ ／ｆｌの値が（４）式に示す値（１．８）よりも大きくなると、バックフォーカス距離が長くなり過ぎて小型軽量化が困難になる。一方、ｆ１／ｆｌの値が（４）式に示す値（１）よりも小さくなると、第１レンズ３の製造性が低下することになる。
【００６５】
従って、本実施形態によれば、更に、ｆ１／ｆｌの値を（４）の条件式を満足するようにすることにより、さらなる小型軽量化および製造性の向上が可能となる。
【００６６】
なお、ｆ１とｆｌとの関係は、１≦ｆ１／ｆｌ≦１．３とされることが、より好ましい。
【００６７】
また、本実施形態においては、更に、次の（５）に示す条件式を満足するようにする。
【００６８】
１≦ｆ２／ｆｌ≦１０      （５）
ここで、ｆ２／ｆｌの値が、（５）式に示す値（１０）よりも大きくなると、第１レンズ３の製造性が低下し、さらに、必要なバックフォーカス距離を確保することが困難になる。一方、ｆ２／ｆｌの値が、（５）式に示す値（１）よりも小さくなると、第２レンズ４のパワーが強くなり過ぎることによって、製造性が低下することになる。
【００６９】
従って、本実施形態によれば、更に、ｆ２／ｆｌの値を（５）の条件式を満足するようにすることによって、必要なバックフォーカス距離をさらに適切に確保しつつ、さらに製造性を向上させることが可能となる。
【００７０】
なお、ｆ２とｆｌとの関係は、３≦ｆ２／ｆｌ≦１０とされることが、より好ましい。
【００７１】
さらに、本実施形態においては、更に、次の（６）に示す条件式を満足するようにする。
【００７２】
０．８≦Ｌ／ｆｌ≦１．２５      （６）
ここで、Ｌ／ｆｌの値が（６）式に示す値（１．２５）よりも大きくなると、光学系全体が大型化してしまい、小型軽量化の要請に反することとなる。一方、Ｌ／ｆｌの値が（６）式に示す値（０．８）よりも小さくなると、光学系全体が小型化することによって製造性が低下し、光学性能の維持が困難になる。
【００７３】
従って、本実施形態によれば、Ｌ／ｆｌの値を（６）の条件式を満足するようにすることによって、必要なバックフォーカス距離を確保しつつも光学系全体を充分に小型軽量化することが可能となり、かつ、良好な光学性能を維持することが可能となり、さらに、製造性を向上させることが可能となる。
【００７４】
なお、Ｌとｆｌとの関係は、１≦Ｌ／ｆｌ≦１．２５とされることが、より好ましい。
【００７５】
さらにまた、本実施形態においては、更に、次の（７）および（８）に示す各条件式を満足するようにする。
【００７６】
０．１≦ｄ１／ｆｌ≦０．２７      （７）
０．１≦ｄ３／ｆｌ≦０．２７      （８）
但し、（８）式におけるｄ３ は、第２レンズ４の中心厚である。
【００７７】
ここで、ｄ１／ｆｌの値が（７）式に示す値（０．２７）よりも大きくなると、光学系の全長が長くなり過ぎ、小型軽量化が困難になる。一方、ｄ１／ｆｌの値が（７）式に示す値（０．１）よりも小さくなると、第１レンズ３の製造が困難になる。
【００７８】
従って、本実施形態によれば、更に、ｄ１／ｆｌの値を（７）の条件式を満足するようにすることによって、さらなる小型軽量化および製造性の向上が可能となる。
【００７９】
なお、ｄ１とｆｌとの関係は、０．１５≦ｄ１／ｆｌ≦０．２５とされることが、より好ましい。
【００８０】
また、ｄ３／ｆｌの値が（８）式に示す値（０．２７）よりも大きくなると、光学系の全長が長くなり過ぎ、小型軽量化が困難になる。一方、ｄ３／ｆｌの値が（８）式に示す値（０．１）よりも小さくなると、第２レンズ４の製造が困難になる。
【００８１】
従って、本実施形態によれば、更に、ｄ３ ／ｆｌの値を（８）の条件式を満足するようにすることによって、光学系全体をさらに小型軽量化することが可能となり、かつ、製造性をさらに向上させることが可能となる。
【００８２】
なお、このｄ３ とｆｌとの関係は、０．１５≦ｄ３／ｆｌ≦０．２５とされることが、より好ましい。
【００８３】
上記構成に加えて、更に、次の（９）に示す条件式を満足することが望ましい。
【００８４】
Ｓ≦０．２      （９）
但し、（９）式におけるＳは、光軸８上における絞り２と最も物体側の光学面との距離、すなわち、光軸８上における絞り２と第１レンズ３の第１面との距離である。また、Ｓは、物理上の距離であり、絞り２が第１レンズ３の第１面の光軸８上の点よりも物体側、像面側のどちらにあってもよい。
【００８５】
そのようにすれば、更に、テレセントリック性をさらに有効に確保することが可能となり、かつ、さらなる小型軽量化が可能となる。
【００８６】
なお、Ｓの値は、Ｓ≦０．１５とされることが、より好ましい。
【００８７】
上記構成に加えて、更に、次の（１０）に示す条件式を満足することが望ましい。
【００８８】
０．４≦Ｂｆｌ／ｆｌ≦０．８      （１０）
但し、（１０）式におけるＢｆｌは、バックフォーカス距離、すなわち、レンズ最終面（第２レンズ４の第２面）から撮像面７までの光軸上の距離（空気換算長）である（以下、同様）。
【００８９】
そのようにすれば、更に、より有効に小型軽量化を図ることが可能となり、かつ、製造性および組み立て上の扱いやすさをさらに向上させることが可能となる。
【００９０】
なお、このＢｆｌとｆｌとの関係は、０．５≦Ｂｆｌ／ｆｌ≦０．６とされることが、より好ましい。
【００９１】
上記構成に加えて、更に、次の（１１）に示す条件式を満足することが望ましい。
【００９２】
０．８≦Ｂｆｌ≦２．５      （１１）
そのようにすれば、更に、より有効に小型軽量化を図ることが可能となり、かつ、製造性および組み立て上の扱いやすさをさらに向上させることが可能となる。
【００９３】
なお、Ｂｆｌの値は、０．８５≦Ｂｆｌ≦２．５とされることが、より好ましい。
【００９４】
さらに、第１レンズ３および第２レンズ４を成形するための樹脂材料は、アクリル、ポリカーボネート、非晶質ポリオレフィン樹脂等、光学部品の成形に用いられる透明性を有するものであればどのような組成を有するものであってもよいが、製造効率のさらなる向上および製造コストのさらなる低廉化の観点からは、両レンズ３、４の樹脂材料を同一の樹脂材料に統一することが望ましい。
【実施例】
【００９５】
次に、本発明の実施例について、図２乃至図２５を参照して説明する。
【００９６】
ここで、本実施例において、Ｆｎｏは、Ｆナンバー、ｒ は、光学面の曲率半径（レンズの場合は中心曲率半径）を示す。また、ｄは、次の光学面までの距離を示す。また、ｎｄは、ｄ線（黄色）を照射した場合における各光学系の屈折率、νｄは、同じくｄ線の場合における各光学系のアッベ数を示す。
【００９７】
ｋ、Ａ、Ｂ、Ｃ、Ｄは、次の（１２）式における各係数を示す。すなわち、レンズの非球面の形状は、光軸８方向にＺ軸、光軸８に直交する方向にＸ軸をとり、光の進行方向を正とし、ｋを円錐係数、Ａ、Ｂ、Ｃ、Ｄを非球面係数、ｒを曲率半径としたとき次式で表される。
【００９８】
Ｚ（Ｘ）＝ｒ−１Ｘ２／［１＋｛１−（ｋ＋１）ｒ−２Ｘ２｝１／２］
＋ＡＸ４＋ＢＸ６＋ＣＸ８             （１２）
【００９９】
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、−７．９９Ｅ−２は、−７．９９×１０−２であることを示す。
【０１００】
＜第１実施例＞
図２は、本発明の第１実施例を示したもので、本実施例においては、第２レンズ４の第２面と撮像面７との間にフィルタ６としてのカバーガラスを配置している。
この第１実施例の撮像レンズ１は、以下の条件に設定されている。
レンズデータ
Ｌ＝２．００ｍｍ、ｆｌ＝１．８３ｍｍ、ｆ１＝２．０９ｍｍ、ｆ２＝７．１９ｍｍ、ｄ１＝０．４０ｍｍ、ｄ２＝０．２５ｍｍ、ｄ３＝０．４０ｍｍ、Ｆｎｏ＝３．２５
面番号                     ｒ          ｄ        ｎｄ        νｄ
（物点）
（絞り）
１（第１レンズ第１面）    0.58        0.40        1.531         56.0
２（第１レンズ第２面）    0.92        0.25
３（第２レンズ第１面）  -15.50        0.40        1.531         56.0
４（第２レンズ第２面）   -3.10        0.10
５（カバーガラス第１面）  0.00        0.30        1.516         64.0
６（カバーガラス第２面）  0.00
（像面）
絞り２は、第１レンズ３の第１面の光軸８上の点と同じ光軸８上の位置に配置
面番号   ｋ           Ａ           Ｂ          Ｃ
１    -7.99E-2     -2.54E-1        4.90       -2.58E+1
２     4.32         3.06E-1       -1.12E+1     7.20E+1
３     0.00        -7.51E-1       -1.01E+1     8.75E+1
４     2.12E+1     -4.99E-1        1.59       -6.38
このような条件の下で、（ｒ３＋ｒ４）／（ｒ３−ｒ４）＝１．５０となり、（１）式を満足するものであった。また、ｄ２／ｄ１＝０．６３となり、（２）式を満足するものであった。さらに、ｆ１／ｆ２＝０．２９となり、（３）式を満足するものであった。さらにまた、ｆ１／ｆｌ＝１．１４となり、（４）式を満足するものであった。また、ｆ２／ｆｌ＝３．９３となり、（５）式を満足するものであった。さらに、Ｌ／ｆｌ＝１．０９となり、（６）式を満足するものであった。さらにまた、ｄ１／ｆｌ＝０．２２となり、（７）式を満足するものであった。また、ｄ３／ｆｌ＝０．２２となり、（８）式を満足するものであった。さらに、Ｓ＝０ｍｍとなり、（９）式を満足するものであった。さらにまた、Ｂｆｌ／ｆｌ＝０．５２となり、（１０）式を満足するものであった。また、Ｂｆｌ＝０．９５ｍｍとなり、（１１）式を満足するものであった。
【０１０１】
この第１実施例の撮像レンズ１における球面収差、非点収差およびディストーションを図３に示す。
【０１０２】
この結果によれば、球面収差、非点収差およびディストーションのいずれもほぼ満足できる結果となり、充分な光学特性を得ることができることが分かる。
【０１０３】
＜第２実施例＞
図４は、本発明の第２実施例を示したもので、本実施例においては、第１実施例と同様に、第２レンズ４の第２面と撮像面７との間にフィルタ６としてのカバーガラスを配置している。
この第２実施例の撮像レンズ１は、以下の条件に設定されている。
レンズデータ
Ｌ＝１．９２ｍｍ、ｆｌ＝１．７３ｍｍ、ｆ１ ＝１．９６ｍｍ、ｆ２ ＝６．９５ｍｍ、ｄ１＝０．３７ｍｍ、ｄ２ ＝０．２５ｍｍ、ｄ３＝０．４０ｍｍ、Ｆｎｏ＝３．２５
面番号                     ｒ          ｄ        ｎｄ        νｄ
（物点）
（絞り）
１（第１レンズ第１面）    0.56        0.37        1.531         56.0
２（第１レンズ第２面）    0.93        0.25
３（第２レンズ第１面）  -15.00        0.40        1.585         30.0
４（第２レンズ第２面）   -3.25        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.97E-1      1.02E-1        6.62       -9.36E+1
２     8.44E-1      8.52E-1       -7.44        8.46E+1
３     0.00         -1.91          1.22E+1    -1.15E+2
４     2.48E+1     -8.63E-1        5.02       -2.01E+1
このような条件の下で、（ｒ３＋ｒ４）／（ｒ３−ｒ４）＝１．５５となり、（１）式を満足するものであった。また、ｄ２／ｄ１＝０．６８となり、（２）式を満足するものであった。さらに、ｆ１／ｆ２＝０．２８となり、（３）式を満足するものであった。さらにまた、ｆ１／ｆｌ＝１．１３となり、（４）式を満足するものであった。また、ｆ２／ｆｌ＝４．０２となり、（５）式を満足するものであった。さらに、Ｌ／ｆｌ＝１．１１となり、（６）式を満足するものであった。さらにまた、ｄ１／ｆｌ＝０．２１となり、（７）式を満足するものであった。また、ｄ３ ／ｆｌ＝０．２３となり、（８）式を満足するものであった。さらに、Ｓ＝０．０３ｍｍとなり、（９）式を満足するものであった。さらにまた、Ｂｆｌ／ｆｌ＝０．５２となり、（１０）式を満足するものであった。また、Ｂｆｌ＝０．９ｍｍとなり、（１１）式を満足するものであった。
【０１０４】
この第２実施例の撮像レンズ１における球面収差、非点収差およびディストーションを図５に示す。
【０１０５】
この結果によれば、球面収差、非点収差およびディストーションのいずれもほぼ満足できる結果となり、充分な光学特性を得ることができることが分かる。
【０１０６】
＜第３実施例＞
図６は、本発明の第３実施例を示したもので、本実施例においても、第１実施例と同様に、第２レンズ４の第２面と撮像面７との間にフィルタ６としてのカバーガラスを配置している。
この第３実施例の撮像レンズ１は、以下の条件に設定されている。
レンズデータ
Ｌ＝４．５８ｍｍ、ｆｌ＝４．２８ｍｍ、ｆ１ ＝４．８８ｍｍ、ｆ２ ＝１７．６ｍｍ、ｄ１＝０．８３ｍｍ、ｄ２ ＝０．５８ｍｍ、ｄ３＝０．８５ｍｍ、Ｆｎｏ＝３．２５
面番号                     ｒ          ｄ        ｎｄ        νｄ
（物点）
（絞り）
１（第１レンズ第１面）    1.25        0.83        1.531         56.0
２（第１レンズ第２面）    1.85        0.58
３（第２レンズ第１面）  -31.50        0.85        1.531         56.0
４（第２レンズ第２面）   -7.30        0.10
５（カバーガラス第１面）  0.00        0.30        1.516         64.0
６（カバーガラス第２面）  0.00
（像面）
絞り２は、第１レンズ３の第１面の光軸８上の点より像面側に０．０７ｍｍの位置に配置
面番号   ｋ           Ａ           Ｂ          Ｃ
１    -7.79E-2     -3.33E-2       1.75E-1     -3.26E-1
２     4.07          1.29E-2     -2.75E-1      4.60E-1
３     0.00         -3.14E-2     -3.52E-1      6.18E-1
４     2.53E+1     -2.46E-2      -9.92E-3      2.12E-3
このような条件の下で、（ｒ３＋ｒ４）／（ｒ３−ｒ４）＝１．６０となり、（１）式を満足するものであった。また、ｄ２／ｄ１＝０．７０となり、（２）式を満足するものであった。さらに、ｆ１／ｆ２＝０．２８となり、（３）式を満足するものであった。さらにまた、ｆ１／ｆｌ＝１．１４となり、（４）式を満足するものであった。また、ｆ２／ｆｌ＝４．１１となり、（５）式を満足するものであった。さらに、Ｌ／ｆｌ＝１．０７となり、（６）式を満足するものであった。さらにまた、ｄ１／ｆｌ＝０．１９となり、（７）式を満足するものであった。また、ｄ３ ／ｆｌ＝０．２０となり、（８）式を満足するものであった。さらに、Ｓ＝０．０７ｍｍとなり、（９）式を満足するものであった。さらにまた、Ｂｆｌ／ｆｌ＝０．５５となり、（１０）式を満足するものであった。また、Ｂｆｌ＝２．３４ｍｍとなり、（１１）式を満足するものであった。
【０１０７】
この第３実施例の撮像レンズ１における球面収差、非点収差およびディストーションを図７に示す。
【０１０８】
この結果によれば、球面収差、非点収差およびディストーションのいずれもほぼ満足できる結果となり、充分な光学特性を得ることができることが分かる。
【０１０９】
＜第４実施例＞
図８は、本発明の第４実施例を示したもので、本実施例においても、第１実施例と同様に、第２レンズ４の第２面と撮像面７との間にフィルタ６としてのカバーガラスを配置している。
この第４実施例の撮像レンズ１は、以下の条件に設定されている。
レンズデータ
Ｌ＝１．９６ｍｍ、ｆｌ＝１．８２ｍｍ、ｆ１ ＝２．０５ｍｍ、ｆ２ ＝７．９３ｍｍ、ｄ１＝０．３７ｍｍ、ｄ２＝０．２５ｍｍ、ｄ３＝０．３８ｍｍ、Ｆｎｏ＝３．２５
面番号                     ｒ          ｄ        ｎｄ        νｄ
（物点）
（絞り）
１（第１レンズ第１面）    0.55        0.37        1.531         56.0
２（第１レンズ第２面）    0.85        0.25
３（第２レンズ第１面）  -12.60        0.38        1.531         56.0
４（第２レンズ第２面）   -3.20        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -8.17E-2     -4.81E-1       1.12E+1     -8.64E+1
２     4.11          3.00E-1     -1.46E+1      1.35E+2
３     0.00         -1.09E-1     -2.44E+1      2.09E+2
４     2.54E+1     -2.93E-1      -3.31E-1     -4.94E-2
このような条件の下で、（ｒ３＋ｒ４）／（ｒ３−ｒ４）＝１．６８となり、（１）式を満足するものであった。また、ｄ２／ｄ１＝０．６８となり、（２）式を満足するものであった。さらに、ｆ１／ｆ２＝０．２６となり、（３）式を満足するものであった。さらにまた、ｆ１／ｆｌ＝１．１３となり、（４）式を満足するものであった。また、ｆ２／ｆｌ＝４．３６となり、（５）式を満足するものであった。さらに、Ｌ／ｆｌ＝１．０８となり、（６）式を満足するものであった。さらにまた、ｄ１／ｆｌ＝０．２０となり、（７）式を満足するものであった。また、ｄ３ ／ｆｌ＝０．２１となり、（８）式を満足するものであった。さらに、Ｓ＝０．０３ｍｍとなり、（９）式を満足するものであった。さらにまた、Ｂｆｌ／ｆｌ＝０．５３となり、（１０）式を満足するものであった。また、Ｂｆｌ＝０．９６ｍｍとなり、（１１）式を満足するものであった。
【０１１０】
この第４実施例の撮像レンズ１における球面収差、非点収差およびディストーションを図９に示す。
【０１１１】
この結果によれば、球面収差、非点収差およびディストーションのいずれもほぼ満足できる結果となり、充分な光学特性を得ることができることが分かる。
【０１１２】
＜第５実施例＞
図１０は、本発明の第５実施例を示したもので、本実施例においても、第１実施例と同様に、第２レンズ４の第２面と撮像面７との間にフィルタ６としてのカバーガラスを配置している。
この第５実施例の撮像レンズ１は、以下の条件に設定されている。
レンズデータ
Ｌ＝２．０８ｍｍ、ｆｌ＝１．９４ｍｍ、ｆ１ ＝２．２１ｍｍ、ｆ２ ＝８．１ｍｍ、ｄ１＝０．３７ｍｍ、ｄ２＝０．２５ｍｍ、ｄ３＝０．３８ｍｍ、Ｆｎｏ＝３．2５
面番号                     ｒ          ｄ        ｎｄ        νｄ
（物点）
（絞り）
１（第１レンズ第１面）    0.56        0.37        1.531         56.0
２（第１レンズ第２面）    0.82        0.25
３（第２レンズ第１面）  -10.50        0.38        1.531         56.0
４（第２レンズ第２面）   -3.10        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.45E-1     -2.68E-1      1.00E+1      -8.11E+1
２     3.85         1.92E-1     -1.44E+1       1.18E+2
３     0.00        -4.85E-1     -1.57E+1       1.31E+2
４    -1.28E+1     -4.53E-1     -3.32E-1      -5.57E-1
このような条件の下で、（ｒ３＋ｒ４）／（ｒ３−ｒ４）＝１．８４となり、（１）式を満足するものであった。また、ｄ２／ｄ１＝０．６８となり、（２）式を満足するものであった。さらに、ｆ１／ｆ２＝０．２７となり、（３）式を満足するものであった。さらにまた、ｆ１／ｆｌ＝１．１４となり、（４）式を満足するものであった。また、ｆ２／ｆｌ＝４．１８となり、（５）式を満足するものであった。さらに、Ｌ／ｆｌ＝１．０７となり、（６）式を満足するものであった。さらにまた、ｄ１／ｆｌ＝０．１９となり、（７）式を満足するものであった。また、ｄ３ ／ｆｌ＝０．２０となり、（８）式を満足するものであった。さらに、Ｓ＝０．０3ｍｍとなり、（９）式を満足するものであった。さらにまた、Ｂｆｌ／ｆｌ＝０．５６となり、（１０）式を満足するものであった。また、Ｂｆｌ＝１．０８ｍｍとなり、（１１）式を満足するものであった。
【０１１３】
この第５実施例の撮像レンズ１における球面収差、非点収差およびディストーションを図１１に示す。
【０１１４】
この結果によれば、球面収差、非点収差およびディストーションのいずれもほぼ満足できる結果となり、充分な光学特性を得ることができることが分かる。
【０１１５】
＜第６実施例＞
図１２は、本発明の第６実施例を示したもので、本実施例においても、第１実施例と同様に、第２レンズ４の第２面と撮像面７との間にフィルタ６としてのカバーガラスを配置している。
この第６実施例の撮像レンズ１は、以下の条件に設定されている。
レンズデータ
Ｌ＝２．０８ｍｍ、ｆｌ＝１．９６ｍｍ、ｆ１ ＝２．２ｍｍ、ｆ２ ＝８．８８ｍｍ、ｄ１＝０．４ｍｍ、ｄ２＝０．２５ｍｍ、ｄ３＝０．３５ｍｍ、Ｆｎｏ＝３．２５
面番号                     ｒ          ｄ        ｎｄ        νｄ
（物点）
（絞り）
１（第１レンズ第１面）    0.58        0.40        1.531         56.0
２（第１レンズ第２面）    0.86        0.25
３（第２レンズ第１面）   -9.50        0.35        1.531         56.0
４（第２レンズ第２面）   -3.20        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -9.40E-4     -4.58E-1      9.76         -9.34E+1
２     4.28         1.36E-1     -1.52E+1       1.16E+2
３     0.00        -4.35E-1     -2.21E+1       2.09E+2
４    -1.05E+1     -6.02E-1     -1.11E-2      -9.47E-1
このような条件の下で、（ｒ３＋ｒ４）／（ｒ３−ｒ４）＝２．０２となり、（１）式を満足するものであった。また、ｄ２／ｄ１＝０．６３となり、（２）式を満足するものであった。さらに、ｆ１／ｆ２＝０．２５となり、（３）式を満足するものであった。さらにまた、ｆ１／ｆｌ＝１．１２となり、（４）式を満足するものであった。また、ｆ２／ｆｌ＝４．５３となり、（５）式を満足するものであった。さらに、Ｌ／ｆｌ＝１．０６となり、（６）式を満足するものであった。さらにまた、ｄ１／ｆｌ＝０．２０となり、（７）式を満足するものであった。また、ｄ３ ／ｆｌ＝０．１８となり、（８）式を満足するものであった。さらに、Ｓ＝０．０３ｍｍとなり、（９）式を満足するものであった。さらにまた、Ｂｆｌ／ｆｌ＝０．５５となり、（１０）式を満足するものであった。また、Ｂｆｌ＝１．０８ｍｍとなり、（１１）式を満足するものであった。
【０１１６】
この第６実施例の撮像レンズ１における球面収差、非点収差およびディストーションを図１３に示す。
【０１１７】
この結果によれば、球面収差、非点収差およびディストーションのいずれもほぼ満足できる結果となり、充分な光学特性を得ることができることが分かる。
【０１１８】
＜第７実施例＞
図１４は、本発明の第７実施例を示したもので、本実施例においても、第１実施例と同様に、第２レンズ４の第２面と撮像面７との間にフィルタ６としてのカバーガラスを配置している。
この第７実施例の撮像レンズ１は、以下の条件に設定されている。
レンズデータ
Ｌ＝２．１７ｍｍ、ｆｌ＝２．０７ｍｍ、ｆ１＝２．２４ｍｍ、ｆ２＝１２．６５ｍｍ、ｄ１＝０．３５ｍｍ、ｄ２＝０．２５ｍｍ、ｄ３＝０．３８ｍｍ、Ｆｎｏ＝３．５５
面番号                     ｒ          ｄ        ｎｄ        νｄ
（物点）
（絞り）
１（第１レンズ第１面）    0.56        0.35        1.531         56.0
２（第１レンズ第２面）    0.82        0.25
３（第２レンズ第１面）   -7.00        0.38        1.531         56.0
４（第２レンズ第２面）   -3.50        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.08E-1     -2.63E-1      8.75         -7.86E+1
２     4.12         1.04E-1     -2.19E+1       1.96E+2
３     0.00        -1.81E-1     -2.77E+1       2.56E+2
４     5.12        -4.27E-1      5.08E-1      -6.40
このような条件の下で、（ｒ３＋ｒ４）／（ｒ３−ｒ４）＝３．００となり、（１）式を満足するものであった。また、ｄ２／ｄ１＝０．７１となり、（２）式を満足するものであった。さらに、ｆ１／ｆ２＝０．１８となり、（３）式を満足するものであった。さらにまた、ｆ１／ｆｌ＝１．０８となり、（４）式を満足するものであった。また、ｆ２／ｆｌ＝６．１１となり、（５）式を満足するものであった。さらに、Ｌ／ｆｌ＝１．０５となり、（６）式を満足するものであった。さらにまた、ｄ１／ｆｌ＝０．１７となり、（７）式を満足するものであった。また、ｄ３ ／ｆｌ＝０．１８となり、（８）式を満足するものであった。さらに、Ｓ＝０．０3ｍｍとなり、（９）式を満足するものであった。さらにまた、Ｂｆｌ／ｆｌ＝０．５７となり、（１０）式を満足するものであった。また、Ｂｆｌ＝１．１９ｍｍとなり、（１１）式を満足するものであった。
【０１１９】
この第７実施例の撮像レンズ１における球面収差、非点収差およびディストーションを図１５に示す。
【０１２０】
この結果によれば、球面収差、非点収差およびディストーションのいずれもほぼ満足できる結果となり、充分な光学特性を得ることができることが分かる。
【０１２１】
＜第８実施例＞
図１６は、本発明の第８実施例を示したもので、本実施例においても、第１実施例と同様に、第２レンズ４の第２面と撮像面７との間にフィルタ６としてのカバーガラスを配置している。
この第８実施例の撮像レンズ１は、以下の条件に設定されている。
レンズデータ
Ｌ＝３．３３ｍｍ、ｆｌ＝３．２ｍｍ、ｆ１＝３．４ｍｍ、ｆ２＝２２．７６ｍｍ、ｄ１＝０．５７ｍｍ、ｄ２＝０．４ｍｍ、ｄ３＝０．６ｍｍ、Ｆｎｏ＝３．２５
面番号                     ｒ          ｄ        ｎｄ        νｄ
（物点）
（絞り）
１（第１レンズ第１面）    0.87        0.57        1.531         56.0
２（第１レンズ第２面）    1.28        0.40
３（第２レンズ第１面）  -11.00        0.60        1.531         56.0
４（第２レンズ第２面）   -5.88        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.12E-1     -7.37E-2      1.00         -3.72
２     4.15         3.46E-2     -2.37          8.88
３     0.00        -4.94E-2     -3.22          1.25E+1
４     3.15E+1     -1.20E-1      9.17E-2     -3.01E-1
このような条件の下で、（ｒ３＋ｒ４）／（ｒ３−ｒ４）＝３．３０となり、（１）式を満足するものであった。また、ｄ２／ｄ１＝０．７０となり、（２）式を満足するものであった。さらに、ｆ１／ｆ２＝０．１５となり、（３）式を満足するものであった。さらにまた、ｆ１／ｆｌ＝１．０６となり、（４）式を満足するものであった。また、ｆ２／ｆｌ＝７．１１となり、（５）式を満足するものであった。さらに、Ｌ／ｆｌ＝１．０４となり、（６）式を満足するものであった。さらにまた、ｄ１／ｆｌ＝０．１８となり、（７）式を満足するものであった。また、ｄ３ ／ｆｌ＝０．１９となり、（８）式を満足するものであった。さらに、Ｓ＝０．０３ｍｍとなり、（９）式を満足するものであった。さらにまた、Ｂｆｌ／ｆｌ＝０．５５となり、（１０）式を満足するものであった。また、Ｂｆｌ＝１．７６ｍｍとなり、（１１）式を満足するものであった。
【０１２２】
この第８実施例の撮像レンズ１における球面収差、非点収差およびディストーションを図１７に示す。
【０１２３】
この結果によれば、球面収差、非点収差およびディストーションのいずれもほぼ満足できる結果となり、充分な光学特性を得ることができることが分かる。
【０１２４】
＜第９実施例＞
図１８は、本発明の第９実施例を示したもので、本実施例においても、第１実施例と同様に、第２レンズ４の第２面と撮像面７との間にフィルタ６としてのカバーガラスを配置している。
この第９実施例の撮像レンズ１は、以下の条件に設定されている。
レンズデータ
Ｌ＝２．０５ｍｍ、ｆｌ＝１．９２ｍｍ、ｆ１＝２．１４ｍｍ、ｆ２＝８．７９ｍｍ、ｄ１＝０．４ｍｍ、ｄ２＝０．２ｍｍ、ｄ３＝０．３８ｍｍ、Ｆｎｏ＝３．２５
面番号                     ｒ          ｄ        ｎｄ        νｄ
（物点）
（絞り）
１（第１レンズ第１面）    0.56        0.40        1.531         56.0
２（第１レンズ第２面）    0.83        0.20
３（第２レンズ第１面）   -8.00        0.38        1.585         30.0
４（第２レンズ第２面）   -3.20        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -1.07E-1     -4.00E-1      1.00E+1      -9.57E+1
２     4.30         3.42E-2     -1.70E+1       1.20E+2
３     0.00        -4.12E-1     -2.51E+1       2.55E+2
４     2.70E+1     -4.63E-1      1.26         -7.58
このような条件の下で、（ｒ３＋ｒ４）／（ｒ３−ｒ４）＝２．３３となり、（１）式を満足するものであった。また、ｄ２／ｄ１＝０．５０となり、（２）式を満足するものであった。さらに、ｆ１／ｆ２＝０．２４となり、（３）式を満足するものであった。さらにまた、ｆ１／ｆｌ＝１．１１となり、（４）式を満足するものであった。また、ｆ２／ｆｌ＝４．５８となり、（５）式を満足するものであった。さらに、Ｌ／ｆｌ＝１．０７となり、（６）式を満足するものであった。さらにまた、ｄ１／ｆｌ＝０．２１となり、（７）式を満足するものであった。また、ｄ３ ／ｆｌ＝０．２０となり、（８）式を満足するものであった。さらに、Ｓ＝０．０３ｍｍとなり、（９）式を満足するものであった。さらにまた、Ｂｆｌ／ｆｌ＝０．５６となり、（１０）式を満足するものであった。また、Ｂｆｌ＝１．０７ｍｍとなり、（１１）式を満足するものであった。
【０１２５】
この第９実施例の撮像レンズ１における球面収差、非点収差およびディストーションを図１９に示す。
【０１２６】
この結果によれば、球面収差、非点収差およびディストーションのいずれもほぼ満足できる結果となり、充分な光学特性を得ることができることが分かる。
【０１２７】
＜第１０実施例＞
図２０は、本発明の第１０実施例を示したもので、本実施例においても、第１実施例と同様に、第２レンズ４の第２面と撮像面７との間にフィルタ６としてのカバーガラスを配置している。
この第１０実施例の撮像レンズ１は、以下の条件に設定されている。
レンズデータ
Ｌ＝２．０９ｍｍ、ｆｌ＝１．９８ｍｍ、ｆ１＝２．１３ｍｍ、ｆ２＝１１．６ｍｍ、ｄ１＝０．３５ｍｍ、ｄ２＝０．３ｍｍ、ｄ３＝０．４ｍｍ、Ｆｎｏ＝３．２５
面番号                     ｒ          ｄ        ｎｄ        νｄ
（物点）
（絞り）
１（第１レンズ第１面）    0.55        0.35        1.531         56.0
２（第１レンズ第２面）    0.83        0.30
３（第２レンズ第１面）   -7.75        0.40        1.531         56.0
４（第２レンズ第２面）   -3.50        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -5.53E-2     -3.77E-1      9.88         -9.43E+1
２     4.26         8.62E-2     -1.55E+1       1.34E+2
３     0.00        -2.71E-1     -2.34E+1       2.12E+2
４     2.72E+1     -3.23E-1     -1.91E-1      -1.09
このような条件の下で、（ｒ３＋ｒ４）／（ｒ３−ｒ４）＝２．６５となり、（１）式を満足するものであった。また、ｄ２／ｄ１＝０．８６となり、（２）式を満足するものであった。さらに、ｆ１／ｆ２＝０．１８となり、（３）式を満足するものであった。さらにまた、ｆ１／ｆｌ＝１．０８となり、（４）式を満足するものであった。また、ｆ２／ｆｌ＝５．８６となり、（５）式を満足するものであった。さらに、Ｌ／ｆｌ＝１．０６となり、（６）式を満足するものであった。さらにまた、ｄ１／ｆｌ＝０．１８となり、（７）式を満足するものであった。また、ｄ３ ／ｆｌ＝０．２０となり、（８）式を満足するものであった。さらに、Ｓ＝０．０３ｍｍとなり、（９）式を満足するものであった。さらにまた、Ｂｆｌ／ｆｌ＝０．５３となり、（１０）式を満足するものであった。また、Ｂｆｌ＝１．０４ｍｍとなり、（１１）式を満足するものであった。
【０１２８】
この第１０実施例の撮像レンズ１における球面収差、非点収差およびディストーションを図２１に示す。
【０１２９】
この結果によれば、球面収差、非点収差およびディストーションのいずれもほぼ満足できる結果となり、充分な光学特性を得ることができることが分かる。
【０１３０】
＜第１１実施例＞
図２２は、本発明の第１１実施例を示したもので、本実施例においても、第１実施例と同様に、第２レンズ４の第２面と撮像面７との間にフィルタ６としてのカバーガラスを配置している。
この第１１実施例の撮像レンズ１は、以下の条件に設定されている。
レンズデータ
Ｌ＝２．１１ｍｍ、ｆｌ＝１．９７ｍｍ、ｆ１＝２．２ｍｍ、ｆ２＝８．４６ｍｍ、ｄ１＝０．３７ｍｍ、ｄ２＝０．３５ｍｍ、ｄ３＝０．３８ｍｍ、Ｆｎｏ＝３．２５
面番号                     ｒ          ｄ        ｎｄ        νｄ
（物点）
（絞り）
１（第１レンズ第１面）    0.58        0.37        1.531         56.0
２（第１レンズ第２面）    0.88        0.35
３（第２レンズ第１面）  -10.00        0.38        1.531         56.0
４（第２レンズ第２面）   -3.15        0.10
５（カバーガラス第１面）  0.00        0.30        1.516         64.0
６（カバーガラス第２面）  0.00
（像面）
絞り２は、第１レンズ３の第１面の光軸８上の点より像面側に０．０５ｍｍの位置に配置
面番号   ｋ           Ａ          Ｂ            Ｃ
１     5.21E-1     -2.80E-1     -2.61          4.68E+1
２     3.18         4.06E-1     -5.76          8.66E+1
３     0.00        -1.77         8.60          -5.46E+1
４    -7.44E+1     -1.05         2.33          -5.94
このような条件の下で、（ｒ３＋ｒ４）／（ｒ３−ｒ４）＝１．９２となり、（１）式を満足するものであった。また、ｄ２／ｄ１＝０．９５となり、（２）式を満足するものであった。さらに、ｆ１／ｆ２＝０．２６となり、（３）式を満足するものであった。さらにまた、ｆ１／ｆｌ＝１．１２となり、（４）式を満足するものであった。また、ｆ２／ｆｌ＝４．２９となり、（５）式を満足するものであった。さらに、Ｌ／ｆｌ＝１．０７となり、（６）式を満足するものであった。さらにまた、ｄ１／ｆｌ＝０．１９となり、（７）式を満足するものであった。また、ｄ３ ／ｆｌ＝０．１９となり、（８）式を満足するものであった。さらに、Ｓ＝０．０5ｍｍとなり、（９）式を満足するものであった。さらにまた、Ｂｆｌ／ｆｌ＝０．５１となり、（１０）式を満足するものであった。また、Ｂｆｌ＝１．０１ｍｍとなり、（１１）式を満足するものであった。
【０１３１】
この第１１実施例の撮像レンズ１における球面収差、非点収差およびディストーションを図２３に示す。
【０１３２】
この結果によれば、球面収差、非点収差およびディストーションのいずれもほぼ満足できる結果となり、充分な光学特性を得ることができることが分かる。
【０１３３】
＜第１２実施例＞
図２４は、本発明の第１２実施例を示したもので、本実施例においても、第１実施例と同様に、第２レンズ４の第２面と撮像面７との間にフィルタ６としてのカバーガラスを配置している。
この第１２実施例の撮像レンズ１は、以下の条件に設定されている。
レンズデータ
Ｌ＝１．７６ｍｍ、ｆｌ＝１．６４ｍｍ、ｆ１＝１．８５ｍｍ、ｆ２＝６．７ｍｍ、ｄ１＝０．３ｍｍ、ｄ２＝０．２９ｍｍ、ｄ３＝０．３２ｍｍ、Ｆｎｏ＝３．２５
面番号                     ｒ          ｄ        ｎｄ        νｄ
（物点）
（絞り）
１（第１レンズ第１面）    0.48        0.30        1.531         56.0
２（第１レンズ第２面）    0.73        0.29
３（第２レンズ第１面）   -9.62        0.32        1.531         56.0
４（第２レンズ第２面）   -2.64        0.10
５（カバーガラス第１面）  0.00        0.30        1.516         64.0
６（カバーガラス第２面）  0.00
（像面）
絞り２は、第１レンズ３の第１面の光軸８上の点より像面側に０．０５ｍｍの位置に配置
面番号   ｋ           Ａ           Ｂ          Ｃ
１     5.21E-1     -4.78E-1      -6.36         1.63E+2
２     3.18          6.93E-1     -1.40E+1      3.01E+2
３     0.00         -3.03         2.09E+1      -1.90E+2
４    -7.44E+1     -1.79          5.70         -2.06E+1
このような条件の下で、（ｒ３＋ｒ４）／（ｒ３−ｒ４）＝１．７６となり、（１）式を満足するものであった。また、ｄ２／ｄ１＝０．９７となり、（２）式を満足するものであった。さらに、ｆ１／ｆ２＝０．２８となり、（３）式を満足するものであった。さらにまた、ｆ１／ｆｌ＝１．１３となり、（４）式を満足するものであった。また、ｆ２／ｆｌ＝４．０９となり、（５）式を満足するものであった。さらに、Ｌ／ｆｌ＝１．０７となり、（６）式を満足するものであった。さらにまた、ｄ１／ｆｌ＝０．１８となり、（７）式を満足するものであった。また、ｄ３ ／ｆｌ＝０．２０となり、（８）式を満足するものであった。さらに、Ｓ＝０．０５ｍｍとなり、（９）式を満足するものであった。さらにまた、Ｂｆｌ／ｆｌ＝０．５２となり、（１０）式を満足するものであった。また、Ｂｆｌ＝０．８５ｍｍとなり、（１１）式を満足するものであった。
【０１３４】
この第１２実施例の撮像レンズ１における球面収差、非点収差およびディストーションを図２５に示す。
【０１３５】
この結果によれば、球面収差、非点収差およびディストーションのいずれもほぼ満足できる結果となり、充分な光学特性を得ることができることが分かる。
【０１３６】
なお、本発明は前記実施例のものに限定されるものではなく、必要に応じて種々変更することが可能である。
【０１３７】
例えば、第１レンズ３の第２面と、第２レンズ４の第１面との間に、光量制限板を配設してもよい。
【図面の簡単な説明】
【０１３８】
【図１】本発明に係る撮像レンズの実施の一形態を示す概略構成図
【図２】本発明に係る撮像レンズの第１実施例を示す概略構成図
【図３】図２に示す撮像レンズにおける球面収差、非点収差およびディストーションを示す説明図
【図４】本発明に係る撮像レンズの第２実施形態を示す概略構成図
【図５】図４に示す撮像レンズにおける球面収差、非点収差およびディストーションを示す説明図
【図６】本発明に係る撮像レンズの第３実施形態を示す概略構成図
【図７】図６に示す撮像レンズにおける球面収差、非点収差およびディストーションを示す説明図
【図８】本発明に係る撮像レンズの第４実施形態を示す概略構成図
【図９】図８に示す撮像レンズにおける球面収差、非点収差およびディストーションを示す説明図
【図１０】本発明に係る撮像レンズの第５実施形態を示す概略構成図
【図１１】図１０に示す撮像レンズにおける球面収差、非点収差およびディストーションを示す説明図
【図１２】本発明に係る撮像レンズの第６実施形態を示す概略構成図
【図１３】図１２に示す撮像レンズにおける球面収差、非点収差およびディストーションを示す説明図
【図１４】本発明に係る撮像レンズの第７実施形態を示す概略構成図
【図１５】図１４に示す撮像レンズにおける球面収差、非点収差およびディストーションを示す説明図
【図１６】本発明に係る撮像レンズの第８実施形態を示す概略構成図
【図１７】図１６に示す撮像レンズにおける球面収差、非点収差およびディストーションを示す説明図
【図１８】本発明に係る撮像レンズの第９実施形態を示す概略構成図
【図１９】図１８に示す撮像レンズにおける球面収差、非点収差およびディストーションを示す説明図
【図２０】本発明に係る撮像レンズの第１０実施形態を示す概略構成図
【図２１】図２０に示す撮像レンズにおける球面収差、非点収差およびディストーションを示す説明図
【図２２】本発明に係る撮像レンズの第１１実施形態を示す概略構成図
【図２３】図２２に示す撮像レンズにおける球面収差、非点収差およびディストーションを示す説明図
【図２４】本発明に係る撮像レンズの第１２実施形態を示す概略構成図
【図２５】図２４に示す撮像レンズにおける球面収差、非点収差およびディストーションを示す説明図
【符号の説明】
【０１３９】
１  撮像レンズ
２  絞り
３  第１レンズ
４  第２レンズ
６  フィルタ
７  撮像面
【図１】
2008040413.tif 000003
【図２】
2008040413.tif 000004
【図３】
2008040413.tif 000005
【図４】
2008040413.tif 000006
【図５】
2008040413.tif 000007
【図６】
2008040413.tif 000008
【図７】
2008040413.tif 000009
【図８】
2008040413.tif 000010
【図９】
2008040413.tif 000011
【図１０】
2008040413.tif 000012
【図１１】
2008040413.tif 000013
【図１２】
2008040413.tif 000014
【図１３】
2008040413.tif 000015
【図１４】
2008040413.tif 000016
【図１５】
2008040413.tif 000017
【図１６】
2008040413.tif 000018
【図１７】
2008040413.tif 000019
【図１８】
2008040413.tif 000020
【図１９】
2008040413.tif 000021
【図２０】
2008040413.tif 000022
【図２１】
2008040413.tif 000023
【図２２】
2008040413.tif 000024
【図２３】
2008040413.tif 000025
【図２４】
2008040413.tif 000026
【図２５】
2008040413.tif 000027